(57)【特許請求の範囲】
【請求項１】
シームフェルトの接合構造であって、
丈方向の両端部のそれぞれの厚さ方向の一側に設けられた第１ループ列及びその他側に設けられた第２ループ列を備えるシームフェルトと、
前記シームフェルトの前記両端部の近傍の前記一側に取り付けられる一対の第１接合用治具本体を備えた第１接合用治具と、
前記シームフェルトの前記両端部の近傍の前記他側に取り付けられる一対の係合部材及び前記一対の係合部材に係合する係合手段を備えた第２接合用治具とを備え、
前記第１接合用治具は、前記係合手段が前記一対の係合部材に係合していない状態において前記一対の接合用治具本体を互いに係合させることにより、前記シームフェルトの前記両端部の近傍が前記他側に向かって山形形状をなし、かつ前記両端部の前記一側が互いに突き合うように、前記両端部の近傍を互いに近接させて保持できるように構成され、
前記第２接合用治具は、前記一対の接合用治具本体が互いに係合していない状態において前記係合手段を前記一対の係合部材に係合させることにより、前記シームフェルトの前記両端部の近傍が前記一側に向かって山形形状をなし、かつ前記両端部の前記他側が互いに突き合うように、前記両端部の近傍を互いに近接させて保持できるように構成されたことを特徴とするシームフェルトの接合構造。
【請求項２】
前記係合手段は紐を備え、
前記一対の係合部材は、前記紐をスライド可能に係合させる複数の係合部を備え、
前記複数の係合部は、前記紐が前記一対の係合部材間を千鳥掛けに連結可能に配置されたことを特徴とする請求項１に記載のシームフェルトの接合構造。
【請求項３】
前記一対の第１接合用治具本体は、一対のファスナー部材を備えることを特徴とする請求項１又は２に記載のシームフェルトの接合構造。
【請求項４】
シームフェルトの丈方向の両端部のそれぞれの厚さ方向の一側に設けられた第１ループ列及びその他側に設けられた第２ループ列のそれぞれについて、対応するループ孔同士を整合させた状態で、芯線を通すことにより、前記シームフェルトを接合する方法であって、
前記シームフェルトの前記両端部の近傍の前記一側には、一対の第１接合用治具本体を備えた第１接合用治具が取り付けられ、前記シームフェルトの前記両端部の近傍の前記他側には、一対の係合部材及び前記一対の係合部材に係合する係合手段を備えた第２接合用治具が取り付けられており、
（ａ）前記一対の接合用治具本体を互いに係合させることにより、前記シームフェルトの前記両端部の近傍が前記他側に向かって山形形状をなし、かつ前記両端部の前記一側が互いに突き合うように、前記両端部の近傍を互いに近接させて保持し、前記両端部の前記第１ループ列同士を互いに整合させるステップと、
（ｂ）前記第１ループ列に第１芯線を通すステップと、
（ｃ）前記一対の接合用治具本体の互いの係合を解除するステップと、
（ｄ）前記係合手段を前記一対の係合部材に係合させることにより、前記シームフェルトの前記両端部の近傍が前記一側に向かって山形形状をなし、かつ前記両端部の前記他側が互いに突き合うように、前記両端部の近傍を互いに近接させて保持し、前記両端部の前記第２ループ列同士を互いに整合させるステップと、
（ｅ）前記第２ループ列に第２芯線を通すステップと、
（ｆ）前記第２接合用治具の締結を解除するステップと
を含むことを特徴とする方法。
【請求項５】
前記係合手段は紐を備え、
前記一対の係合部材は、前記紐をスライド可能に係合させる複数の係合部を備え、
前記ステップ（ｄ）は、
前記シームフェルトの前記両端部の近傍の前記他側に取付けられた前記一対の係合部材間を千鳥掛けに連結させるように、前記紐を前記複数の係合部にスライド可能に係合させるステップと、
前記紐に引張力を加えることによって、前記両端部の近傍が前記一側に向かって山形をなすように前記両端部の近傍を近接保持するステップとを含むことを特徴とする請求項４に記載の方法。
【発明の詳細な説明】
【技術分野】
【０００１】
本発明は、厚さ方向に２列のループが形成されたシームフェルトの両端部を接合するための接合構造、接合方法及び接合用治具に関する。
【背景技術】
【０００２】
フェルトを製紙機に取り付ける際の作業性を向上させるため、フェルトの走行経路、いわゆるフェルトランに有端のフェルトを引き込んだ上でその両端部を互いに接合して無端とする、いわゆるシームフェルトが広く普及している。この種のシームフェルトでは、基布を構成する経糸の折り返しにより丈方向の端部に形成されたループを、互いのループ孔が整合するように交互にかみ合わせ、これにより形成された共通孔に芯線を通して両端部を接合する構成が一般的である。
【０００３】
このようなシームフェルトの接合は緻密な手作業となるため、フェルトの端部を安定させて作業を行うことが望まれる。また、ループのかみ合い状態や芯線の挿通状態を目視で確認し易くするため、フェルトの端部を山形状に突き合わせることが望まれる。そこで、スライド式のファスナーを備えた仮接合布を予めフェルトの端部に縫い付けておき、フェルトの引き込みが終了したところで、ファスナーを掛けることで、フェルトの両端部を仮止めするとともに、フェルトの両端が山形状に突き合わせた状態に保持されるようにした技術が知られている（特許文献１）。
【先行技術文献】
【特許文献】
【０００４】
【特許文献１】特開２００５−２６４４０２号公報
【発明の概要】
【発明が解決しようとする課題】
【０００５】
ループが厚さ方向の上下に２列に形成されたシームフェルトにおいては、フェルトの両端が上側に向かって突き出るように山形に突き合わせて下列側のループを掛け合わせた後、フェルトの両端を下側に向かって突き出るように山形に突き合わせて上列側のループを掛け合わせることが望ましい。ここで、下列側のループを掛け合わせた後、上列側のループを特許文献１に記載の技術等で掛け合わせようとすると、上列側のループの上方はファスナーで覆われることになるため、両端部を上方から下方に押し込むことができず、両端部のループを整合させた状態にすることが困難である。また、上列側のループの上方はファスナーで覆われており、その下方は既に下列側のループが掛け合わされているため、フェルトの上下のどちらからも、ループが整合しているか否かを目視で確認することができない。
【０００６】
本発明は、このような問題を鑑み、ループが厚さ方向に２列に形成されたシームフェルトの両端部の接合を容易かつ確実に行えるシームフェルトの接合構造を提供することを課題とする。
【課題を解決するための手段】
【０００７】
本発明のある側面は、シームフェルト（２）の接合構造であって、丈方向の両端部のそれぞれの厚さ方向の一側に設けられた第１ループ列（１４）及びその他側に設けられた第２ループ列（２０）を備えるシームフェルトと、前記シームフェルトの前記両端部の近傍の前記一側に取り付けられる一対の第１接合用治具本体（３０）を備えた第１接合用治具（２６）と、前記シームフェルトの前記両端部の近傍の前記他側に取り付けられる一対の係合部材（３８）及び前記一対の係合部材に係合する係合手段（４０）を備えた第２接合用治具（２８）とを備え、前記第１接合用治具は、前記係合手段が前記一対の係合部材に係合していない状態において前記一対の接合用治具本体を互いに係合させることにより、前記シームフェルトの前記両端部の近傍が前記他側に向かって山形形状をなし、かつ前記両端部の前記一側が互いに突き合うように、前記両端部の近傍を互いに近接させて保持できるように構成され、前記第２接合用治具は、前記一対の接合用治具本体が互いに係合していない状態において前記係合手段を前記一対の係合部材に係合させることにより、前記シームフェルトの前記両端部の近傍が前記一側に向かって山形形状をなし、かつ前記両端部の前記他側が互いに突き合うように、前記両端部の近傍を互いに近接させて保持できるように構成されたことを特徴とする。
【０００８】
この構成によれば、第１ループ列に芯線を通した後、第２ループ列同士を互いに整合させるために、第２接合用治具によりシームフェルトを他側から締結してシームフェルトの両端の他側を互いに付き合わせたときに、第２ループ列同士の整合状態を厚さ方向の他側から目視で確認できるとともに、整合していない場所があれば、手等によりシームフェルトの両端部近傍又は第２ループを押し込んでその場所の第２ループ列同士を整合させることができる。そのため、シームフェルトの両端部の接合を容易かつ確実に行える。
【０００９】
本発明の他の側面は、上記構成において、前記係合手段は、紐（４０）を備えることを特徴とする。
【００１０】
この構成によれば、第１ループ列に芯線を通した後、第２接合用治具によりシームフェルトを他側から締結したとき、一対の係合部材間に掛け渡された紐の間の空間を介して、第２ループ列の整合状態を目視で確認できるとともに、整合していない場所があれば、手等によりその場所の第２ループ列を整合させることができる。
【００１１】
本発明の他の側面は、上記構成において、前記一対の係合部材は、前記紐をスライド可能に係合させる複数の係合部（４４，４８）を備え、前記複数の係合部は、前記紐が前記一対の係合部材間を千鳥掛けに連結可能に配置されたことを特徴とする。
【００１２】
この構成によれば、紐を一対の係合部材間に千鳥掛けに掛け渡したときに、紐に引張力を加えるだけで、一対の係合部材を接近させることができ、それにより、両端に設けられた第２ループ列を互いにかみ合わせることができる。
【００１３】
本発明の他の側面は、上記構成において、前記一対の第１接合用治具本体は、一対のファスナー部材を備えることを特徴とする。
【００１４】
この構成によれば、第１ループ列の整合を簡易な作業で行うことができる。
【００１５】
本発明のある側面は、シームフェルト（２）の丈方向の両端部のそれぞれの厚さ方向の一側に設けられた第１ループ列（１４）及びその他側に設けられた第２ループ列（２０）のそれぞれについて、対応するループ孔同士を整合させた状態で、芯線を通すことにより、前記シームフェルトを接合する方法であって、前記シームフェルトの前記両端部の近傍の前記一側には、一対の第１接合用治具本体（３０）を備えた第１接合用治具（２６）が取り付けられ、前記シームフェルトの前記両端部の近傍の前記他側には、一対の係合部材（３８）及び前記一対の係合部材に係合する係合手段（４０）を備えた第２接合用治具（２８）が取り付けられており、（ａ）前記一対の接合用治具本体を互いに係合させることにより、前記シームフェルトの前記両端部の近傍が前記他側に向かって山形形状をなし、かつ前記両端部の前記一側が互いに突き合うように、前記両端部の近傍を互いに近接させて保持し、前記両端部の前記第１ループ列同士を互いに整合させるステップと、（ｂ）前記第１ループ列に第１芯線（２２）を通すステップと、（ｃ）前記一対の接合用治具本体の互いの係合を解除するステップと、（ｄ）前記係合手段を前記一対の係合部材に係合させることにより、前記シームフェルトの前記両端部の近傍が前記一側に向かって山形形状をなし、かつ前記両端部の前記他側が互いに突き合うように、前記両端部の近傍を互いに近接させて保持し、前記両端部の前記第２ループ列同士を互いに整合させるステップと、（ｅ）前記第２ループ列に第２芯線（２４）を通すステップと、（ｆ）前記第２接合用治具の締結を解除するステップとを含むことを特徴とする。
【００１６】
この構成によれば、第２ループ列同士を互いに整合させるために、シームフェルトの両端を互いに付き合わせたときに、第２ループ列同士の整合状態を厚さ方向の他側から目視で確認できるとともに、整合していない場所があれば、手等によりシームフェルトの両端部近傍又は第２ループ列を押し込んでその場所の第２ループ列を整合させることができる。そのため、シームフェルトの両端部の接合を容易かつ確実に行える。
【００１７】
本発明の他の側面は、上記構成において、前記係合手段は紐を備えることを特徴とする。
【００１８】
この構成によれば、一対の係合部材間に掛け渡された紐の間の空間を介して、第２ループ列同士の整合状態を目視で確認でき、その空間から手等を差し込み、第２ループ列同士を整合させることができる。
【００１９】
本発明の他の側面は、上記構成において、前記一対の係合部材は、前記紐をスライド可能に係合させる複数の係合部（４４，４８）を備え、前記ステップ（ｄ）は、前記シームフェルトの前記両端部の近傍の前記他側に取付けられた前記一対の係合部材間を千鳥掛けに連結させるように、前記紐を前記複数の係合部にスライド可能に係合させるステップと、前記紐に引張力を加えることによって、前記両端部の近傍が前記一側に向かって山形をなすように前記両端部の近傍を近接保持するステップとを含むことを特徴とする。
【００２０】
この構成によれば、紐に引張力を加えるだけで、一対の係合部材を接近させることができ、それにより、両端に設けられた第２ループ列同士を互いにかみ合わせることができる。
【００２１】
本発明のある側面は、シームフェルト（２）の丈方向の両端部に設けられた一対のループ列（２０）のそれぞれに形成されたループ孔（１８）同士を互いに整合させるための接合用治具（２８）であって、前記両端部の近傍の前記シームフェルトの一方の表面に取り付けられる一対の係合部材（３８）と、前記一対の係合部材に係合する紐（４０）とを備えることを特徴とする。
【００２２】
この構成によれば、ループ列同士を互いに整合させるために、シームフェルトの両端を付き合わせたときに、一対の係合部材間に掛け渡された紐の間の空間を介して、ループ列同士の整合状態を目視で確認でき、また、その空間から手等を差し込み、ループ列同士を整合させることができる。そのため、シームフェルトの両端部の接合を容易かつ確実に行える。特に、ループが厚さ方向に２列に形成されたシームフェルトにおいて、一方の列の両端部のループ同士を整合させて芯線を通した後に、他方の列の両端部のループ同士を整合させるために使用するのに適している。
【発明の効果】
【００２３】
本発明によれば、ループが厚さ方向に２列に形成されたシームフェルトの両端部の接合を容易かつ確実に行えるシームフェルトの接合構造を提供することができる。
【図面の簡単な説明】
【００２４】
【図１】実施形態に係るシームフェルトの模式的な断面図
【図２】実施形態に係るシームフェルトの斜視図
【図３】実施形態に係るシームフェルト及び接合用治具の、下列側ループ同士を互いに整合させた状態における斜視図
【図４】実施形態に係るシームフェルト及び接合用治具の、上列側ループ同士を互いに整合させた状態における斜視図
【図５】実施形態に係るシームフェルト及び接合用治具の、下列側ループ同士を互いに整合させた状態における模式的断面図
【図６】実施形態に係るシームフェルト及び接合用治具の、下列側ループ同士を互いに整合させた後、下列側の接合用治具の締結を解除した状態における模式的断面図
【図７】図６におけるループ部分の拡大図
【図８】実施形態に係るシームフェルト及び接合用治具の、上列側ループ同士を互いに整合させた状態における模式的断面図
【図９】上列側の接合用治具の変形形態を示す平面図
【図１０】上列側の接合用治具の他の変形形態を示す平面図
【発明を実施するための形態】
【００２５】
以下、図面を参照しながら本発明の実施形態を説明する。
【００２６】
図１及び図２に示すように、シームフェルト２は、第１及び第２基布４ａ，４ｂにバット繊維層６をニードリングにより積層一体化したものである。シームフェルト２は、図２に示すように有端であるが、その両端部が結合されることによって、図１に示すように無端環状の形態となる。シームフェルト２は、製紙機に取付けられ、プレス脱水工程における紙原料の運搬ベルトとして使用される。
【００２７】
シームフェルト２は、下側の第１基布４ａ（無端環状の形態では内側の基布）と、上側の第２基布４ｂ（無端環状の形態では外側の基布）とを重ねた構造となっており、両者はバット又は糸により結合している。第１基布４ａと第２基布４ｂとは、丈方向にわずかにずれ、端部に段差が生じていてもよく（図１及び図２）、揃っていてもよい（図３〜図７）。第１及び第２基布４ａ，４ｂは、それぞれ、丈方向に延在する複数の経糸８と幅方向に延在する複数の緯糸（図示せず）とを互いに織り合わせた織布として形成されている。
【００２８】
第１基布４ａの丈方向の両端のそれぞれには、経糸８を折り返して形成された第１ループ１０が複数配置され、複数の第１ループ１０は、そのループ形状の内部に形成された第１ループ孔１２が幅方向に整合するように配置されて第１ループ列１４を形成している。同様に、第２基布４ｂの丈方向の両端のそれぞれには、経糸８を折り返して形成された第２ループ１６が複数配置され、複数の第２ループ１６は、そのループ形状の内部に形成された第２ループ孔１８が幅方向に整合するように配置されて第２ループ列２０を形成している。
【００２９】
シームフェルト２を図１に示す無端環状の形態にするため、両端に形成された一対の第１ループ列１４の互いの第１ループ１０を交互に重ね合わせ、かつ互いの第１ループ孔１２を整合させるように、両端を互いに突き合わせ、第１芯線２２（図６参照）を、整合させた第１ループ孔１２に通す。さらに、両端に形成された一対の第２ループ列２０の互いの第２ループ１６を交互に重ね合わせ、かつ互いの第２ループ孔１８を整合させるように、両端を互いに突き合わせ、第２芯線２４（図７参照）を、整合させた第２ループ孔１８に通す。第１芯線２２及び第２芯線２４は、互いに、同一の芯線でもよく、異なる芯線でもよい。
【００３０】
シームフェルト２は、図示しない製紙機のフェルト走行経路に引き込んだ状態で両端部が互いに接合される。このとき、両端の第１ループ孔１２を互いに整合させるために、第１接合用治具２６が用いられ、その後、両端の第２ループ孔１８を互いに整合させるために、第２接合用治具２８が用いられる。第１接合用治具２６及び第２接合用治具２８は、あらかじめシームフェルト２の両端部近傍に縫い付けられている。
【００３１】
図３（第１及び第２ループ１０，１６は図示を省略）に示すように、第１接合用治具２６は、その本体となる一対のファスナー部材３０を備える。一対のファスナー部材３０は、各々、シームフェルト２の下側に固定される布地部３２と、布地部３２に取り付けられたファスナーエレメント部３４とを備える。また、一対のファスナー部材３０のいずれか一方には、一対のファスナーエレメント部３４を互いにかみ合わせるための、また、そのかみ合わせを解除するためのスライダー３６がスライド可能に取り付けられている。
【００３２】
布地部３２は、略長方形の布地からなり、その長辺の一方にファスナーエレメント部３４が取り付けられている。布地部３２は、ファスナーエレメント部３４がシームフェルト２の端部側を向き、かつ端部と平行になるように、シームフェルト２の下側に配置される。布地部３２のファスナーエレメント部３４が取り付けられた側と反対側の長辺の近傍が、シームフェルト２の端部から１２ｃｍ〜２０ｃｍの位置に縫い付けられ、縫い目は、シームフェルト２の端部と平行にされる。布地部３２の長辺の長さはシームフェルト２の幅より大きく、縫い付けられた状態で、布地部３２の長辺方向の両端がシームフェルト２の幅方向の側辺から突出している。ファスナーエレメント部３４は、シームフェルト２の端部からわずかに、例えば１ｃｍ〜３ｃｍ程度、内側にずれた位置に配置される。
【００３３】
図３及び図４に示すように、第２接合用治具２８は、シームフェルト２の上側に固定される一対の係合部材３８と、一対の係合部材３８にスライド可能に係合して、一対の係合部材３８を互いに近接保持するための係合手段となる紐４０とを備える。一対の係合部材３８の各々は、シームフェルト２の上側に取り付けられる取付片４２と、係合孔４４を形成するように取付片４２に取り付けられた複数の係合片４６とを備える。
【００３４】
取付片４２は、略長方形又はテープ形状の布地からなり、その長辺側の一方に複数の係合片４６が略等間隔、例えば１０ｃｍ〜３０ｃｍ間隔、で取り付けられている。取付片４２は、係合片４６が取り付けられた側がシームフェルト２の端部側を向き、かつその長辺が端部と略平行になるように、シームフェルト２の上側に配置される。取付片４２は、シームフェルト２の端部の近傍に縫い付けられる。第１接合用治具２６による掛け入れ作業を妨げないように、取付片４２は、第１接合用治具２６の布地部３２の縫い付け位置と同じか、それよりもシームフェルト２の端部から離間した位置に縫い付けられていることが好ましい。例えば、縫い付け位置は、シームフェルト２の端部から１２ｃｍ〜２５ｃｍであり、シームフェルト２の端部と平行である。シームフェルト２の端部が蛇行している場合には、取付片４２は、その蛇行している端部が延在している方向に沿って直線的に縫い付けられる。取付片４２の長辺の長さは、シームフェルト２の幅と略等しく、取付片４２の長辺方向の端部と、シームフェルト２の幅方向の側辺が整合するように、取付片４２は、シームフェルト２の上側から縫い付けられている。
【００３５】
係合片４６は、略長方形又はテープ形状の布地からなり、その両端部が取付片４２に縫い付け等により固定され、紐４０が通される係合部として機能する係合孔４４を形成している。なお、係合片４６は、樹脂又は金属から形成してもよく、この場合、係合孔４４をフック形状に変形させても良い。また、係合片４６によって形成される係合孔４４に代えて、取付片４２に複数の貫通孔４８を設けて、紐４０を係合させてもよく、この場合、貫通孔４８を環状の樹脂又は金属からなる部材で補強してもよい（図９参照）。
【００３６】
次に、図５〜図８を参照して、シームフェルト２の接合手順について説明する。図５〜図８は、模式図であり、バット繊維層６等は省略している。
【００３７】
出荷前の段階で、シームフェルト２の両端部に第１接合用治具２６の一対のファスナー部材３０及び第２接合用治具２８の一対の係合部材３８が縫い付けられている。シームフェルト２の両端部を接合する現場においては、まず、シームフェルト２を製紙機の走行経路に引き込み、シームフェルト２の両端部を、第２接合用治具２８の一対の係合部材３８を取り付けた側が上側になるように近接対向させる。
【００３８】
次に、第１接合用治具２６において、スライダー３６を２つのファスナーエレメント部３４に係合させた状態でスライド移動させて、ファスナーエレメント部３４を互いにかみ合わせる。第１接合用治具２６がシームフェルト２の両端部の近傍に締結されるため、シームフェルト２の両端部を付き合せるように、シームフェルト２の両端部の近傍を近接保持できる。第１接合用治具２６の一対のファスナー部材３０の縫い付けられた位置からファスナーエレメント部３４までの長さが、シームフェルト２の第１接合用治具２６が縫い付けられた位置から端部までの長さよりも短いため、シームフェルト２の両端部の近傍は、第１接合用治具２６から離間する方向、すなわち上方に向かって山形形状を形成する。従って、シームフェルト２の両端面は、厚さ方向の下側において突き合わされて両端部に形成された下側の第１ループ列１４同士が互いにかみ合っており、厚さ方向の上側はわずかに離間している。このとき、上側の第２ループ列２０は互いにわずかに丈方向に離間した状態となる。このため、第１ループ列１４の複数の第１ループ１０の各々が、第１ループ孔１２が整合するように正しく配置されているか否かを幅方向からだけでなく、上方からも目視で確認できる。正しく配置されていない第１ループ１０があれば、手等により、第１ループ孔１２が整合する正しい位置に配置する。次に、第１芯線２２を、整合させた第１ループ孔１２に通す（図５）。なお、第１ループ１０をかみ合わせながら第１芯線２２を通してもよい。
【００３９】
その後、スライダー３６を逆方向にスライド移動させ、ファスナーエレメント部３４のかみ合わせを解除する。シームフェルト２の両端部の近傍を略平らな状態にする（図６）。図７に示すように、第１接合用治具２６の締結を解除すると、シームフェルト２には、その両端部が離反する方向（図７の双方向矢印の方向）に張力がかかる。両端部の第１ループ列１４同士は、第１ループ孔１２に第１芯線２２が通されているため、かみ合わせが維持される。一方、両端部の第２ループ列２０同士は、かみ合わせが浅くなって、第２ループ孔１８の整合している部分が狭くなる。よって、この状態で第２ループ孔１８に第２芯線２４を通すことは困難であるため、両端部の第２ループ列２０同士を深くかみ合わせるために寄せる必要がある。
【００４０】
そこで、次の手順に従って第２接合用治具２８を使い、両端部の第２ループ列同士を寄せる。紐４０を一対の係合部材３８の一端側の最初の係合孔４４に結び付ける。その後、紐４０が千鳥掛けに配置されるように、紐４０を、一対の係合部材３８のそれぞれの係合孔４４を交互に、かつ幅方向の一端側から他端側に向かって順に、通して行く。次に、紐４０を結び付けた側から少しずつ一対の係合部材３８の間が狭まるように、紐４０と係合孔４４とを互いにスライドさせ、一対の係合部材３８を互いに接近させる。このとき、シームフェルト２の突き合わされた両端部は、紐４０が存在するため上方へは移動できず、下方に移動する。よって、シームフェルト２の両端部近傍は、下方に向かって山形形状を形成する。従って、シームフェルト２の両端面は、上側が突き合わされた状態になる。そのため、両端部に形成された厚さ方向の上側の第２ループ列２０が互いに重なり合い、厚さ方向の下側の第１ループ列１４も、第１ループ孔１２に第１芯線２２が通されているため、重なり合った状態に保持される。第２ループ列２０の複数の第２ループ１６の各々が、第２ループ孔１８が整合するように正しく配置されているか否かは、下側からは、第１接合用治具２６の締結が解除されていても第１ループ列１４が重なっているため目視で確認することはできないが、幅方向からは目視でき、また、上方からも、千鳥に配置された紐４０の間の空間５０を通して目視で確認できる。特に、上方から目視で確認できるため、どの第２ループ１６が正しく配置されていないかが明瞭にわかる。正しく配置されていない第２ループ１６があれば、手等によって、千鳥に配置された紐４０の間の空間５０を通して該当する部分を押し込み、又は可能であれば開放されている下側から押し上げて、第２ループ孔１８が整合する正しい位置に配置する。次に、第２芯線２４を、整合させた第２ループ孔１８に通す（図８）。
【００４１】
その後、紐４０を緩め、シームフェルト２の両端部の近傍を略平らな状態にする。また、一対のファスナー部材３０及び一対の係合部材３８のシームフェルト２への縫い付けをほどいて、第１接合用治具２６及び第２接合用治具２８をシームフェルト２から取り外す。
【００４２】
以上で具体的実施形態の説明を終えるが、本発明は上記実施形態に限定されることなく幅広く変形実施することができる。例えば、シームフェルトの下側と上側との両方で第２接合用治具を用いて、ループ孔を整合させてもよい。また、第２接合用治具の紐の掛け方や係合孔の配置は適宜変更してもよい。例えば、一対の係合部材間で紐が丈方向に平行になるように配置したり（紐がコ字形状及び左右反転したコ字形状の繰り返しパターンをたどる配置、又は複数の紐の各々が一対の係合部材間を結ぶ配置（図１０参照））、平行と斜めが繰り返されるように配置してもよい（紐がＺ字形状の繰り返しパターンをたどる配置）。また、第２接合用治具は、シームフェルトに締結したときに、一対の係合部材間に厚み方向（上下方向）に開いた空間５０を形成して、その空間５０から第２ループを目視でき、かつ、手等でシームフェルトを押し込んで第２ループ孔を整合させることができる形状であればよい。例えば、紐に代えて、棒とその棒に選択的に固定できるスライダーとを用い、棒の一端を一対の係合部材の一方に固定し、スライダーを一対の係合部材の他方に固定してもよい。また、第１接合用治具及び第２接合用治具のシームフェルトへの縫い付け及び取り外し順序は、適宜変更可能である。例えば、第１接合用治具の取り外しは、第１芯線を第１ループ孔に通した後、かつ第２接合用治具によってシームフェルトの両端の上側を突き合わせる前であってもよく（図４参照）、第２接合用治具の縫い付けは、第１接合用治具によって、第１ループ孔に第１芯線を通した後であってもよい。また、第１接合用治具及び第２接合用治具によるシームフェルトの両端部の近傍の締結の解除は、ファスナーのかみ合わせの解除や紐の緩めによらず、第１接合用治具及び第２接合用治具のシームフェルトへの縫い付けをほどくことによって行ってもよい。また、本実施形態のシームフェルトの両端部は丈方向に直交しているが、両端部を丈方向に対して傾斜させてもよい。
【符号の説明】
【００４３】
２...シームフェルト、１０...第１ループ、１２...第１ループ孔、１４...第１ループ列、１６...第２ループ、１８...第２ループ孔、２０...第２ループ列、２２...第１芯線、２４...第２芯線、２６...第１接合用治具、２８...第２接合用治具、３０...一対のファスナー部材、３２...布地部、３４...ファスナーエレメント部、３８...一対の係合部材、４０...紐、４２...取付片、４４...係合孔、４６...係合片
【図１】
0006355511.tif 000002
【図２】
0006355511.tif 000003
【図３】
0006355511.tif 000004
【図４】
0006355511.tif 000005
【図５】
0006355511.tif 000006
【図６】
0006355511.tif 000007
【図７】
0006355511.tif 000008
【図８】
0006355511.tif 000009
【図９】
0006355511.tif 000010
【図１０】
0006355511.tif 000011